(57)【要約】      （修正有）【課題】画像をスクリーンに拡大投影するプロジェクタにおいて、光源部を冷却した後の熱せられた冷却風が直接ハウジングから排気されないようにする事で、排気口の位置やプロジェクタを構成する各部品の配置の自由度を高くし、小型軽量化及び低コスト化を可能とする。【解決手段】画像を形成するＤＭＤ（デジタルマイクロミラーデバイス）１７と、ＤＭＤ１７を照明する光源１１、反射板１２、カラーホイール１３、光トンネル１５と、投影レンズ１８と、各部材を収納するハウジング２と、ハウジング２内の光源１１及び反射板１２を冷却するブロアファン１９と、主に制御部２０を冷却するための冷却ファン３とを備え、ブロアファン１９により発生された第１冷却風５４で光源１１及び反射板１２を冷却し、光源１１及び反射板１２を冷却した第１冷却風５４と、冷却ファン３で発生された第２冷却風の一部５３を混合した混合風５５を排気口２Ｃから排気する。【選択図】図１
2007316334.tif 000002
【特許請求の範囲】
【請求項１】
光源と、
光源から出射された光の光路上に設けられ、三原色に相当するカラーフィルタが所定角度ピッチで形成され、一定速度で回転するカラーホイールと、
前記光源から出射された光を前記カラーホイール上の一部に集光するための、少なくとも反射板を備えた集光部材と、
前記カラーホイールを透過した光束の光路上に設けられ、二次元的に配列された微小ミラーの集合体であって、外部から入力された映像信号に応じて前記微小ミラーの角度を変化させ、前記カラーホイールを透過した光束を所定方向と前記所定方向以外の方向に反射させるＤＭＤ（デジタルマイクロミラーデバイス）と、
前記ＤＭＤに対して前記所定方向に配置され、前記ＤＭＤにより反射された光束をスクリーン上に投影する投影レンズと、
前記映像信号を用いて前記ＤＭＤを駆動するＤＭＤ駆動回路と、
プロジェクタ全体を制御する全体制御回路と、
前記光源を駆動する光源駆動回路と、
前記ＤＭＤ駆動回路、前記全体制御回路及び前記光源駆動回路を含むプロジェクタ各部に電力を供給するための電源回路と、
前記光源、前記集光部材及び前記ＤＭＤを集中的に冷却するための第１冷却風を発生させるブロアファンと、
少なくとも前記電源回路を冷却するための第２冷却風を発生させる冷却ファンと、
前記各部材を収納するハウジングを備えたプロジェクタにおいて、
前記ハウジングは、前記投影レンズによる投影方向において、前方に配置された第１収納部と、後方に配置された第２収納部を有し、
前記光源、前記カラーホイール、前記集光部材、前記ＤＭＤ、前記投影レンズ及び前記ブロアファンは、前記第１収納部に収納され、
前記ＤＭＤ駆動回路、前記全体制御回路、前記光源駆動回路及び前記電源回路は、前記第２収納部に収納され、
前記冷却ファンは、前記第１収納部と前記第２収納部に跨るように配置されており、
前記ブロアファンは、第１冷却風を前記光源及び前記集光部材側に誘導するための第１ダクトを有し、
前記第１収納部には、前記冷却ファンにより発生された第２冷却風の一部を、前記光源及び前記集光部材には直接誘導せず、前記ブロアファンにより発生された第１冷却風の流路における前記光源及び前記集光部材の下流側に誘導するための第２ダクトと、前記光源及び前記集光部材を冷却した後の熱せられた第１冷却風と前記第２ダクトによって誘導された第２冷却風の一部とが混合された混合風を前記投影レンズの下部を通って前記ハウジングの排気口に誘導する第３ダクトがさらに設けられており、
それによって、前記光源及び前記集光部材を冷却した後の熱せられた第１冷却風と第２冷却風の一部が混合されて温度が低下された混合風を排気することにより、排気口近傍を含む前記ハウジングの温度上昇を抑制したことを特徴とするプロジェクタ。
【請求項２】
画像を形成する画像形成素子と、画像形成素子を照明する光源部と、画像形成素子により形成された画像を前方に拡大投影する投影レンズと、前記画像形成素子及び前記光源を駆動するための駆動回路が実装された回路基板と、前記各部材を収納するハウジングと、前記ハウジングの外部から空気を前記ハウジング内に吸引し、前記各部材を冷却する冷却手段を備えたプロジェクタにおいて、
前記冷却手段は、少なくとも２つの第１ファン及び第２ファンを有し、
前記第１ファンにより発生された第１冷却風で前記光源部を冷却し、
前記第１ファンで発生され、前記光源部を冷却した第１冷却風と、前記第２ファンで発生された第２冷却風の少なくとも一部を混合した混合風を排気することを特徴とするプロジェクタ。
【請求項３】
前記第１収納部は、前記投影レンズによる投影方向において、前記ハウジングの前方に配置され、前記第２収納部は前記ハウジングの後方に配置され、
前記画像形成素子、前記光源部、前記投影レンズ及び前記第１ファンは、前記第１収納部に設けられ、
前記第２ファンは前記第１収納部と前記第２収納部に跨るように設けられており、
前記第１収納部には、前記第２ファンにより発生された第２冷却風の少なくとも一部を前記光源部には直接誘導せず、前記第１ファンにより発生された第１冷却風の流路の前記光源部よりも下流側に誘導するためのダクトが設けられていることを特徴とする請求項２に記載のプロジェクタ。
【発明の詳細な説明】
【技術分野】
【０００１】
本発明は、動画や静止画などの画像を前方のスクリーンに拡大投影するプロジェクタに関する。
【背景技術】
【０００２】
動画や静止画などの画像を前方のスクリーンに拡大投影するプロジェクタでは、光源として高輝度の放電ランプや高輝度ＬＥＤなどを用いているため、光源から大量の熱が発生される。また、光源からの熱に曝される反射板などの集光部材や、ＤＭＤ（デジタルマイクロミラーデバイス）あるいは液晶表示素子などの画像形成素子も高温になる。そのため、プロジェクタにおいては、電源や制御回路などを冷却するための冷却ファンに加えて、光源、集光部材及び画像形成素子などを集中的に冷却するためのブロアファンが設けられている。
【０００３】
冷却ファンは、電子機器の電源部など冷却を必要とする部分に用いられている汎用品であって、モータの軸に直接ファンを取り付けただけの比較的簡単な構成である。これに対して、ブロアファンは、上記モータ及びファンの他に、所定方向に冷却風を噴出させるためのダクトを備えている。そして、ブロアファンにより発生された冷却風は、光源、集光部材及び画像形成素子などを冷却するために、ダクトにより所定の方向に噴出され、これらを冷却した後の熱せられた冷却風がハウジングの排気口から排気される。そのうち、最も温度の高い光源と、その次に温度の高い集光部材を冷却した後の冷却風は、非常に高温であるため、排気口の近傍を含むハウジングの温度が非常に高くなる。そのため、ハウジングの材料として高温に耐えうる樹脂を用いなければならず、あるいは、ハウジングの内側にアルミテープなどを貼付するなどの耐熱処理を施さなければならず、コストアップの原因となる。さらに、ユーザが誤ってハウジングの高温部に触れないようにするため、排気口の位置や冷却風の流路などが制限される。そのため、プロジェクタを構成する各部品の配置が制限され、プロジェクタの小型軽量化を妨げる要因となる。
【０００４】
なお、特許文献１では、プロジェクタの光源部を効率良く冷却するために、光源部の直後に冷却ファンを配置すると共に、反射板に開口を設け、冷却ファンにより発生された冷却風の一部を直接光源及び反射板の内面側に誘導し、残りを反射板の背面側に誘導している。しかしながら、このような構成では、光源部を冷却した後の熱せられた冷却風がそのままハウジングの外部に排気されるという問題点は解決されていない。また、冷却ファン自体が光源からの出射された光の一部に直接曝されることになり、冷却ファン自体も高温になる。さらに、冷却ファンの隙間から光が後方に漏れ、光源の発光効率が低下する。
【特許文献１】特開２００５−６２３７５号公報
【発明の開示】
【発明が解決しようとする課題】
【０００５】
本発明は、上記従来例の問題を解決するためになされたものであり、光源部を冷却した後の熱せられた冷却風が直接ハウジングの排気口から排気されることがなく、それによって排気口の位置やプロジェクタを構成する各部品の配置の自由度を高くし、小型軽量化及び低コスト化を可能とするプロジェクタを提供することを目的とする。
【課題を解決するための手段】
【０００６】
上記目的を達成するために請求項１の発明は、光源と、光源から出射された光の光路上に設けられ、三原色に相当するカラーフィルタが所定角度ピッチで形成され、一定速度で回転するカラーホイールと、前記光源から出射された光を前記カラーホイール上の一部に集光するための、少なくとも反射板を備えた集光部材と、前記カラーホイールを透過した光束の光路上に設けられ、二次元的に配列された微小ミラーの集合体であって、外部から入力された映像信号に応じて前記微小ミラーの角度を変化させ、前記カラーホイールを透過した光束を所定方向と前記所定方向以外の方向に反射させるＤＭＤ（デジタルマイクロミラーデバイス）と、前記ＤＭＤに対して前記所定方向に配置され、前記ＤＭＤにより反射された光束をスクリーン上に投影する投影レンズと、前記映像信号を用いて前記ＤＭＤを駆動するＤＭＤ駆動回路と、プロジェクタ全体を制御する全体制御回路と、前記光源を駆動する光源駆動回路と、前記ＤＭＤ駆動回路、前記全体制御回路及び前記光源駆動回路を含むプロジェクタ各部に電力を供給するための電源回路と、前記光源、前記集光部材及び前記ＤＭＤを集中的に冷却するための第１冷却風を発生させるブロアファンと、少なくとも前記電源回路を冷却するための第２冷却風を発生させる冷却ファンと、前記各部材を収納するハウジングを備えたプロジェクタにおいて、
前記ハウジングは、前記投影レンズによる投影方向において、前方に配置された第１収納部と、後方に配置された第２収納部を有し、
前記光源、前記カラーホイール、前記集光部材、前記ＤＭＤ、前記投影レンズ及び前記ブロアファンは、前記第１収納部に収納され、
前記ＤＭＤ駆動回路、前記全体制御回路、前記光源駆動回路及び前記電源回路は、前記第２収納部に収納され、
前記冷却ファンは、前記第１収納部と前記第２収納部に跨るように配置されており、
前記ブロアファンは、第１冷却風を前記光源及び前記集光部材側に誘導するための第１ダクトを有し、
前記第１収納部には、前記冷却ファンにより発生された第２冷却風の一部を、前記光源及び前記集光部材には直接誘導せず、前記ブロアファンにより発生された第１冷却風の流路における前記光源及び前記集光部材の下流側に誘導するための第２ダクトと、前記光源及び前記集光部材を冷却した後の熱せられた第１冷却風と前記第２ダクトによって誘導された第２冷却風の一部とが混合された混合風を前記投影レンズの下部を通って前記ハウジングの排気口に誘導する第３ダクトがさらに設けられており、
それによって、前記光源及び前記集光部材を冷却した後の熱せられた第１冷却風と第２冷却風の一部が混合されて温度が低下された混合風を排気することにより、排気口近傍を含む前記ハウジングの温度上昇を抑制したことを特徴とする。
【０００７】
請求項２の発明は、画像を形成する画像形成素子と、画像形成素子を照明する光源部と、画像形成素子により形成された画像を前方に拡大投影する投影レンズと、前記画像形成素子及び前記光源を駆動するための駆動回路が実装された回路基板と、前記各部材を収納するハウジングと、前記ハウジングの外部から空気を前記ハウジング内に吸引し、前記各部材を冷却する冷却手段を備えたプロジェクタにおいて、前記冷却手段は、少なくとも２つの第１ファン及び第２ファンを有し、前記第１ファンにより発生された第１冷却風で前記光源部を冷却し、前記第１ファンで発生され、前記光源部を冷却した第１冷却風と、前記第２ファンで発生された第２冷却風の少なくとも一部を混合した混合風を排気することを特徴とする。
【０００８】
請求項３の発明は、請求項２に記載のプロジェクタにおいて、前記第１収納部は、前記投影レンズによる投影方向において、前記ハウジングの前方に配置され、前記第２収納部は前記ハウジングの後方に配置され、前記画像形成素子、前記光源部、前記投影レンズ及び前記第１ファンは、前記第１収納部に設けられ、前記第２ファンは前記第１収納部と前記第２収納部に跨るように設けられており、前記第１収納部には、前記第２ファンにより発生された第２冷却風の少なくとも一部を前記光源部には直接誘導せず、前記第１ファンにより発生された第１冷却風の流路の前記光源部よりも下流側に誘導するためのダクトが設けられていることを特徴とする。
【発明の効果】
【０００９】
請求項１の発明によれば、最も温度の高い光源及びその次に温度の高い集光部材を冷却した後の熱せられた第１冷却風は、直接ハウジングの排気口から排気されることはなく、この熱せられた第１冷却風に比べて遙かに温度に低い第２冷却風の一部と混合された後、ハウジングの排気口から排気される。そのため、排気口近傍を含むハウジングの温度上昇が抑制されるので、ハウジングの材料として、耐熱性に低い材料を用いることが可能になる。あるいは、ハウジングの内側にアルミテープを貼付するなどの耐熱処理が不要になる。その結果、プロジェクタのコストダウンが可能になる。また、仮にユーザがハウジングの排気口近傍に触れたとしても危険ではないので、排気口の位置を自由に設定でき、プロジェクタを構成する各部品の配置の自由度が高くなるので、プロジェクタの小型軽量化が可能になる。
【００１０】
また、従来の構成と比較して、ハウジングに、冷却ファンにより発生された第２冷却風の一部を、第１冷却風の流路における光源及び集光部材の下流側に誘導するための第２ダクトと、熱せられた第１冷却風と第２冷却風の一部とが混合された混合風をハウジングの排気口に誘導する第３ダクトをさらに設けただけであるので、ダクトを製造するための金型が若干複雑になる程度であって、ハウジングの製造コストは従来のものと差はない。さらに、第３ダクトは投影レンズの下部の空間に設けられているので、第３ダクトを設けてもハウジングの大きさは従来のものとほとんど同じである。むしろ、上記のように、排気口の位置及びプロジェクタを構成する各部品の配置の自由度が高くなるので、プロジェクタの小型軽量化が可能になる。
【００１１】
さらに、ハウジングを、投影レンズによる投影方向、すなわちハウジングの前後方向において、前方に配置された第１収納部と後方に配置された第２収納部に２分割し、高温となる光源、集光部材、ＤＭＤなどを第１収納部に収納しているので、第２収納部に収納されたＤＭＤ駆動回路、全体制御回路、光源駆動回路及び電源回路などを光源の高熱から遮断することが可能となる。
【００１２】
請求項２の発明によれば、第１ファンで発生され、光源部を冷却した第１冷却風と、第２ファンで発生された第２冷却風の少なくとも一部を混合した混合風を排気するので、光源部を冷却した第１冷却風を直接排気する場合に比べて、排気温度を低くすることができる。その結果、排気口近傍を含むハウジングの温度上昇が抑制されるので、ハウジングの材料として、耐熱性に低い材料を用いることが可能になる。あるいは、ハウジングの内側にアルミテープを貼付するなどの耐熱処理が不要になる。その結果、プロジェクタのコストダウンが可能になる。また、仮にユーザがハウジングの排気口近傍に触れたとしても危険ではないので、排気口の位置を自由に設定でき、プロジェクタを構成する各部品の配置の自由度が高くなるので、プロジェクタの小型軽量化が可能になる。
【００１３】
請求項３の発明によれば、ハウジングを、投影レンズによる投影方向、すなわちハウジングの前後方向において、前方に配置された第１収納部と後方に配置された第２収納部に２分割し、高温となる光源部及び画像形成素子を第１収納部に収納しているので、熱に弱い構成要素、例えば半導体素子を用いた制御回路などを第２収納部に収納することによって光源の高熱から遮断することが可能となる。
【発明を実施するための最良の形態】
【００１４】
本発明の一実施形態に係るプロジェクタについて、図面を参照しつつ説明する。図１は、本発明に係るプロジェクタ１の構成を平面断面図である。また、図２は、プロジェクタ１の外観を示す正面断面図である。さらに、図３は、プロジェクタ１の回路構成を示すブロック図である。このプロジェクタ１は、パーソナルコンピュータやビデオカメラなどから入力された映像信号（画像データ）を用いて画像を形成し、前方に設けられたスクリーンに拡大投影する装置である。
【００１５】
図１に示すように、プロジェクタ１は、おおまかに、ハウジング２の前方側に配置され、外部から入力された映像信号を用いて画像を形成し、前方のスクリーンに拡大投影する光学エンジン１０と、ハウジング２の後方側に配置され、外部から入力された映像信号を処理して光学エンジン１０を制御する制御部２０で構成されている。また、ハウジング２は投影レンズによる投影方向、すなわちハウジング２の前後方向において、前方に配置された第１収納部２Ａと後方に配置された第２収納部２Ｂに２分割されており、光学エンジン１０は前方の第１収納部に収納されており、制御部２０は後方の第２収納部２Ｂに収納されている。
【００１６】
光学エンジン１０は、例えば放電ランプなどの光源１１と、光源から出射された光のうち後方に出射された光を前方に反射させると共に、所定の領域に集光させる反射板（集光部材）１２と、光源１１から出射された光の光路上に設けられ、三原色に相当するカラーフィルタが所定角度ピッチで形成され、一定速度で回転するカラーホイール１３と、カラーホイール１３を一定速度で回転させるモータ１４と、カラーホイール１３を挟んで光源に対向するように設けられ、所定の内径を有する光トンネル１５と、光トンネルを透過した光束を所定方向に反射するミラー１６と、光トンネル１５及びミラー１６を介して、カラーホイール１３を透過した光束の光路上に設けられ、二次元的に配列された微小ミラーの集合体であって、外部から入力された映像信号に応じて微小ミラーの角度を変化させ、カラーホイール１３を透過した光束を所定方向（第１の方向）と所定方向以外の第２の方向に反射させるＤＭＤ（デジタルマイクロミラーデバイス）１７と、ＤＭＤ１７に対して第１の方向に配置され、ＤＭＤ１７により反射された光束をスクリーン上に投影する投影レンズ１８と、光源１１、反射板（集光部材）１２、カラーホイール１３、光トンネル１５、ＤＭＤ１７を集中的に冷却するためのブロアファン（第１ファン）１９などで構成されている。光源１１と反射板１２は光源部を構成し、光源部のハウジングを兼ねた第１ダクト５Ａ（詳細は句術する）の内部に収納されている。
【００１７】
反射板１２は、例えば回転楕円面状に形成されており、光源１１が回転楕円面の一方の焦点近傍に配置され、カラーホイール１３の一部が回転楕円面の他方の焦点近傍に位置するように配置されている。図中、カラーホイール１３よりも右側は、光源ユニットとして独立したユニットに構成され、より多くの光をカラーホイール１３上に集光するために、光源ユニットの内面は、例えば鏡面仕上げされている。一方、光トンネル１５よりも左側は、迷光の影響を少なくするための暗箱ユニットとして形成され、暗箱ユニットの内面は、反射光を吸収するように反射防止塗料が塗布されている。なお、図１及び図２において、ハウジング２の内部を光学エンジン１０側と制御部２０側を仕切るように描かれている仕切り板４は、実際にこのような仕切り板４を設けてもよいし、あるいは、上記光源ユニット及び暗箱ユニットのハウジングの壁を兼用させてもよい。
【００１８】
ブロアファン１９は、例えばファン１９ａの回転軸方向に空気を吸引し、円周方向に風を吹き出させるような構造であり、モータ（図示せず）及びファン１９ａの他に、所定方向に第１冷却風を吹き出させるためのダクト１９ｂ、１９ｃ及び１９ｄを有している。ダクト１９ｂは、光源１１及び反射板１２を冷却するために、これら光源１１及び反射板１２側に第１冷却風５０を吹き出させる。また、ダクト１９ｃは、ＤＭＤ１７側に第１冷却風５１を吹き出させる。さらに、ダクト１９ｄは、カラーホイール１３及び光トンネル１５側に第１冷却風５２を吹き出させる。なお、光学エンジン１０中、光源１１の温度が最も高くなり、その次に反射板１２の温度が高くなる。そのため、ブロアファン１９から光源１１及び反射板１２側に吹き出される第２冷却風５０の風量が最も多くなるように、各ダクト１９ｂ、１９ｃ及び１９ｄの断面積や断面形状などが設定されている。さらに、第１収納部２Ａには、ブロアファン１９のダクト１９ｂから噴出された第１冷却風５０を光源１１及び反射板１２に誘導するための第１ダクト５Ａ、後述する第２ダクト５Ｂ及び第３ダクト５Ｃが設けられている。
【００１９】
一方、制御部２０は、映像信号を用いてＤＭＤ１７を駆動するＤＭＤ駆動回路２１と、プロジェクタ１の全体を制御する全体制御回路２２と、光源１１を駆動する光源駆動回路２３と、ＤＭＤ駆動回路２１、全体制御回路２２及び光源駆動回路２３を含むプロジェクタ１の各部に電力を供給するための電源回路２４と、少なくとも光源１１及び電源回路２４を冷却するための冷却風を発生させる冷却ファン３を有している。ＤＭＤ駆動回路２１及び全体制御回路２２は、例えばＣＰＵ、ＲＯＭ、ＲＡＭなどで構成されている。また、必要に応じて、ノイズ除去フィルタなども設けられている。光源駆動回路２３は、放電ランプなどの光源１１を電力が一定となるように制御するためのインバータ回路であり、コイル、ダイオード、ＦＥＴなどで構成されている。放電ランプは、点灯開始直後、その温度が低く、電圧が低いため、電力が一定になるように制御すると大電流がランプに流れてしまい、ランプ寿命が低下するという問題を有している。そのため、光源駆動回路２３は、ランプ点灯開始から一定時間、ランプに流れる電流を制限するウオーミングアップ動作を行う。電源回路２４は、例えば１００Ｖや２００Ｖなどの交流商用電源を入力として、例えば１２Ｖや２４Ｖなどの直流電圧電源を発生させる回路であり、コイル、ダイオード、ＦＥＴなどで構成されている。
【００２０】
一般的に、光源駆動回路２３や電源回路２４を構成する部品は、ＣＰＵ、ＲＯＭ、ＲＡＭなどに比べて大きく、かつ重い。そのため、光源駆動回路２３及び電源回路２４の構成部品は、ハウジング２の底部近傍に設けられた第１回路基板２５上に実装されている。また、第１回路基板２５上には、光源駆動回路２３や電源回路２４以外の回路２７を構成する部品も実装されている。一方、ＤＭＤ駆動回路２１及び全体制御回路２２を構成する部品は、光源駆動回路２３や電源回路２４を構成する部品に比べて小さく、かつ軽い。そのため、ＤＭＤ駆動回路２１及び全体制御回路２２の構成部品は、光源駆動回路２３及び電源回路２４が実装されている第１回路基板２５とは異なる第２回路基板２６上に実装されている。
【００２１】
なお、光源駆動回路２３及び電源回路２４の構成部品の全部が第１回路基板２５上に実装されている必要はなく、これら光源駆動回路２３及び電源回路２４の一方又は両方の一部分だけが第１回路基板２５上に実装され、残りは他の回路基板（図示せず）などに実装されていてもよい。同様に、ＤＭＤ駆動回路２１及び全体制御回路２２の構成部品の全部が第２回路基板２６上に実装されている必要はなく、これらＤＭＤ駆動回路２１及び全体制御回路２２の一方又は両方の一部分だけが第２回路基板２６上に実装され、残りは他の回路基板（図示せず）などに実装されていてもよい。
【００２２】
図１及び図２に示すように、冷却ファン（第２ファン）３は、ハウジング２の外部からハウジング２の内部に空気を取り入れて第２冷却風を発生させ、第２冷却風を制御部２０に導入し、光源駆動回路２３、電源回路２４などの熱源から発生される熱を吸収し、温度が上昇した熱風をハウジング２の外部に排気させるものである。図１に示す構成では、冷却ファン３は、第１収納部２Ａと第２収納部２Ｂに跨るように配置されている。そして、第１収納部２Ａでは、上記第２ダクト５Ｂの吸気側開口が冷却ファン３に対向するように設けられている。冷却ファン３により発生された第２冷却風の一部５３は、第２ダクト５Ｂにより、光源１１及び反射板（集光部材）１２には直接誘導されず、ブロアファン１９により発生された第１冷却風５０の流路における光源１１及び反射板（集光部材）１２の下流側５Ｄに誘導される。
【００２３】
図１に示すように、ブロアファン１９により発生された第１冷却風５０は、第１ダクト５Ａにより、光源１１及び反射板１２の内面側に誘導されると共に、反射板１２の背面側にも誘導され、光源１１及び反射板１２の熱を吸収し、第１冷却風５０の流路における光源１１及び反射板１２の下流側５Ｄに誘導される。第１ダクト５Ａ、第２ダクト５Ｂ及び第３ダクト５Ｃは、第１冷却風５０の流路における光源１１及び反射板（集光部材）１２の下流側５Ｄにおいて連通されている。さらに、第３ダクト５Ｃは、図２に示すように、投影レンズ１８の下部の空間に設けられており、ハウジング２の側部に設けられた排気口２Ｃに連通されている。
【００２４】
光源１１及び反射板１２の下流側５Ｄにおいて、第１ダクト５Ａにより誘導され、光源１１及び反射板１２を冷却した後の熱せられた第１冷却風５４は、第２ダクト５Ｂにより誘導された第２冷却風の一部５３と混合される。ここで、光源１１の内部は、例えば約７００℃という非常な高温になるため、光源１１及び反射板１２を冷却した後の熱せられた第１冷却風５４も１００℃以上の高温になっている。一方、冷却ファン３により発生された第２冷却風の一部５３は、ハウジング２の外部の空気とほぼ同じ温度、すなわち室温と同じであり、一般的に高くても３０℃程度である。さらに、空調が行われている部屋では、室温が２０℃前後に設定されている。そのため、最も温度の高い光源１１及びその次に温度の高い反射板（集光部材）１２を冷却した後の熱せられた第１冷却風５４は、直接ハウジング２の排気口２Ｃから排気されることはなく、この熱せられた第１冷却風５４に比べて遙かに温度に低い第２冷却風の一部５３と混合された後、第１冷却風５４よりも温度の低い混合風５５がハウジング２の排気口２Ｃから排気される。そのため、排気口２Ｃの近傍を含むハウジング２の温度上昇が抑制されるので、ハウジング２の材料として、耐熱性に低い材料を用いることが可能になる。あるいは、ハウジング２の内側にアルミテープを貼付するなどの耐熱処理が不要になる。その結果、プロジェクタ１のコストダウンが可能になる。また、仮にユーザがハウジング２の排気口２Ｃ近傍に触れたとしても危険ではないので、排気口２Ｃの位置を、ハウジング２の側面だけでなく、ハウジングの前面、上面底面など自由に設定できる。さらに、排気口２Ｃの位置を自由に設定できるので、それに伴って、プロジェクタ１を構成する各部品の配置の自由度が高くなり、プロジェクタ１の小型軽量化が可能になる。
【００２５】
また、従来の構成と比較して、ハウジング２に、冷却ファン３により発生された第２冷却風の一部５３を、第１冷却風５４の流路における光源１１及び反射板（集光部材）１２の下流側に誘導するための第２ダクト５Ｂと、熱せられた第１冷却風５４と第２冷却風の一部５３とが混合された混合風５５をハウジング２の排気口２Ｃに誘導する第３ダクト５Ｃをさらに設けただけであるので、ダクトを製造するための金型が若干複雑になる程度であって、ハウジング２の製造コストは従来のものと差はない。さらに、第３ダクト５Ｃは投影レンズ１８の下部の空間に設けられているので、第３ダクト５Ｃを設けてもハウジング２の大きさは従来のものとほとんど同じである。むしろ、上記のように、排気口２Ｃの位置及びプロジェクタ１を構成する各部品の配置の自由度が高くなるので、プロジェクタ１の小型軽量化が可能になる。
【００２６】
さらに、ハウジング２を、投影レンズ１８による投影方向、すなわちハウジング２の前後方向において、前方に配置された第１収納部２Ａと後方に配置された第２収納部２Ｂに２分割し、高温となる光源１１、反射板（集光部材）１２、ＤＭＤ１７などを第１収納部２Ａに収納しているので、第２収納部２Ｂに収納されたＤＭＤ駆動回路２１、全体制御回路２２、光源駆動回路２３及び電源回路２４などを光源１１の高熱から遮断することが可能となる。
【００２７】
なお、本発明は、上記実施形態の構成に限定されるものではなく、様々な変形が可能である。例えば、プロジェクタ１は、ＤＭＤ１７を用いたものに限定されず、画像形成素子として液晶表示素子などを用いたものであってもよい。すなわち、本発明に係るプロジェクタは、画像を形成する画像形成素子と、画像形成素子を照明する光源部（光源、集光部材など）と、画像形成素子により形成された画像を前方に拡大投影する投影レンズと、画像形成素子及び光源を駆動するための駆動回路が実装された回路基板と、前記各部材を収納するハウジングと、ハウジングの外部から空気をハウジング内に吸引し、各部材を冷却する冷却手段を備え、冷却手段は、少なくとも２つの第１ファン及び第２ファンを有し、第１ファンにより発生された冷却風で光源部を冷却し、第１ファンで発生され、光源部を冷却した冷却風と、第２ファンで発生された冷却風の少なくとも一部を混合した混合風を排気するように構成されていればよい。
【図面の簡単な説明】
【００２８】
【図１】本発明の一実施形態に係るプロジェクタの構成を示す平面断面図。
【図２】上記プロジェクタの構成を示す正面断面図。
【図３】上記プロジェクタの回路構成を示すブロック図。
【符号の説明】
【００２９】
１  プロジェクタ
２  ハウジング
２Ａ  第１収納部
２Ｂ  第２収納部
２Ｃ  排気口
３  冷却ファン（第２ファン）
４  空洞部
５Ａ  第１ダクト
５Ｂ  第２ダクト
５Ｃ  第３ダクト
５Ｄ  光源及び反射板（集光部材）の下流側
１０  光学エンジン
１１  光源
１２  反射板
１３  カラーホイール
１４  モータ
１５  光トンネル
１６  ミラー
１７  ＤＭＤ（デジタルマイクロミラーデバイス）
１８  投影レンズ
１９  ブロアファン（第１ファン）
１９ｂ、１９ｃ、１９ｄ  ダクト
２０  制御部
２１  ＤＭＤ駆動回路
２２  全体制御回路
２３  光源駆動回路
２４  電源回路
５０、５１、５２  第１冷却風
５３  第２冷却風の一部
５４  熱せられた第１冷却風
５５  混合風
【図１】
2007316334.tif 000003
【図２】
2007316334.tif 000004
【図３】
2007316334.tif 000005